(57)【特許請求の範囲】
【請求項１】
上流から三相交流電流が供給される三相配電線である幹線と、前記幹線から分岐される三相配電線である分岐線との接続相を決定する接続相決定方法であって、
前記分岐線と接続される箇所よりも下流における前記幹線の逆相電流値である幹線逆相電流値の情報を取得し、前記幹線と接続される箇所における前記分岐線の逆相電流値である分岐線逆相電流値の情報を、幹線と分岐線との接続相毎に複数取得する第１ステップと、
前記第１ステップにおいて取得した前記幹線逆相電流値と前記分岐線逆相電流値との和の絶対値が最小となるように、前記幹線と前記分岐線との接続相を決定する第２ステップと、
を有する接続相決定方法。
【請求項２】
前記分岐線は、前記幹線の前記交流電流が流れる方向に沿って複数設けられており、
前記第１ステップ及び前記第２ステップは、前記幹線の下流における前記分岐線から前記幹線の上流における前記分岐線に向かって行われ、前記幹線の最も上流側の分岐線についての前記第１ステップ及び前記第２ステップの処理が終了することにより、処理を終了する、請求項１に記載の接続相決定方法。
【請求項３】
前記第２ステップにおいて、さらに、前記幹線の相回転方向を維持するように、前記幹線と前記分岐線との接続相を決定する、請求項１又は請求項２に記載の接続相決定方法。
【請求項４】
前記幹線は、第１相の交流電流が流れる第１幹線、第２相の交流電流が流れる第２幹線及び第３相の交流電流が流れる第３幹線を有し、前記分岐線は、第１分岐線、第２分岐線及び第３分岐線を有し、
前記第２ステップは、
前記第１幹線と前記第１分岐線とを接続し、前記第２幹線と前記第２分岐線とを接続し、前記第３幹線と前記第３分岐線とを接続した接続相における、前記幹線逆相電流値と前記分岐線逆相電流値との和である第１接続相逆相電流和と、
前記第１幹線と前記第２分岐線とを接続し、前記第２幹線と前記第３分岐線とを接続し、前記第３幹線と前記第１分岐線とを接続した接続相における、前記幹線逆相電流値と前記分岐線逆相電流値との和である第２接続相逆相電流和と、
前記第１幹線と前記第３分岐線とを接続し、前記第２幹線と前記第１分岐線とを接続し、前記第３幹線と前記第２分岐線とを接続した接続相における、前記幹線逆相電流値と前記分岐線逆相電流値との和である第３接続相逆相電流和と、を算出し、
前記第１接続相逆相電流和、前記第２接続相逆相電流和及び前記第３接続相逆相電流和のうち、絶対値が最小である場合における接続相を、前記幹線と前記分岐線との接続相として決定する、請求項３に記載の接続相決定方法。
【請求項５】
前記幹線及び前記分岐線は、あらかじめ容量が定められている柱上変圧器が接続されており、
前記第１ステップにおいて、前記幹線逆相電流値と前記分岐線逆相電流値とを、前記柱上変圧器の容量に基づいて算出する、請求項１から請求項４のいずれか１項に記載の接続相決定方法。
【請求項６】
前記第１ステップにおいて、前記幹線逆相電流値を、前記分岐線と接続される箇所よりも下流における前記幹線の電流値を測定することにより取得し、前記分岐線逆相電流値を、前記幹線と接続される箇所における前記分岐線の電流値を測定することにより取得する、請求項１から請求項４のいずれか１項に記載の接続相決定方法。
【請求項７】
上流から交流電流が供給される三相配電線である幹線と、前記幹線から分岐される三相配電線である分岐線との接続相を決定する接続相決定装置であって、
前記分岐線と接続される箇所よりも下流における前記幹線の逆相電流値である幹線逆相電流値の情報を取得し、前記幹線と接続される箇所における前記分岐線の逆相電流値である分岐線逆相電流値の情報を、幹線と分岐線との接続相毎に複数取得する逆相電流値取得部と、
逆相電流値取得部が取得した前記幹線逆相電流値と前記分岐線逆相電流値との和の絶対値が最小となるように、前記幹線と前記分岐線との接続相を決定する接続相決定部と、
を有する、接続相決定装置。
【請求項８】
前記分岐線は、前記幹線の前記交流電流が流れる方向に沿って、複数設けられており、
前記接続相決定部が決定した前記分岐線の位置情報を有する分岐線情報部を更に有し、
前記逆相電流値取得部は、前記分岐線情報部からの前記分岐線の位置情報に基づき、前記分岐線よりも前記幹線の上流側の前記分岐線に対応する前記幹線逆相電流値及び前記分岐線逆相電流値との情報を取得し、
前記接続相決定部は、前記上流側の分岐線に対応する前記幹線逆相電流値と前記分岐線逆相電流値との和の絶対値が最小となるように、前記幹線と前記上流側の分岐線との接続相を決定する、請求項７に記載の接続相決定装置。
【発明の詳細な説明】
【技術分野】
【０００１】
本発明は、配電線の接続相決定方法及び接続相決定装置に関する。
【背景技術】
【０００２】
発電所からの電力を家庭等に配電する配電線は、三相配電線である幹線に、幹線から分岐された三相配電線である分岐線が接続されている。そして、この幹線及び分岐線は、複数の柱上変圧器が接続されており、柱上変圧器を介して、家庭等の負荷に接続されている。
【０００３】
また、配電線における電圧不平衡を抑制するため、例えば特許文献１に示すように、柱上変圧器と配電線との接続相を調整する方向が考案されている。
【先行技術文献】
【特許文献】
【０００４】
【特許文献１】特開２０１４−１３５８０５号公報
【発明の概要】
【発明が解決しようとする課題】
【０００５】
柱上変圧器は、一般的に配電線に多数設けられている。従って、柱上変圧器と配電線との接続相で電圧不平衡を調整するためには、数多くの柱上変圧器に対して、配電線の接続相を調整する処理を行う必要が生じる。そのため、多くの処理が必要となり、調整に時間がかかる等、電圧不平衡の抑制を適切に行うことができない恐れがある。
【０００６】
ここで、本発明は、上記課題を解決するために、電圧不平衡の抑制を適切に行うことができる配電線の接続相決定方法及び接続相決定装置を提供することを目的とする。
【課題を解決するための手段】
【０００７】
上述した課題を解決し、目的を達成するために、本発明の接続相決定方法は、上流から三相交流電流が供給される三相配電線である幹線と、前記幹線から分岐される三相配電線である分岐線との接続相を決定する接続相決定方法であって、前記分岐線と接続される箇所よりも下流における前記幹線の逆相電流値である幹線逆相電流値の情報を取得し、前記幹線と接続される箇所における前記分岐線の逆相電流値である分岐線逆相電流値の情報を、幹線と分岐線との接続相毎に複数取得する第１ステップと、前記第１ステップにおいて取得した前記幹線逆相電流値と前記分岐線逆相電流値との和の絶対値が最小となるように、前記幹線と前記分岐線との接続相を決定する第２ステップと、を有する。
【０００８】
前記接続相決定方法において、前記分岐線は、前記幹線の前記交流電流が流れる方向に沿って複数設けられており、前記第１ステップ及び前記第２ステップは、前記幹線の下流における前記分岐線から前記幹線の上流における前記分岐線に向かって行われ、前記幹線の最も上流側の分岐線についての前記第１ステップ及び前記第２ステップの処理が終了することにより、処理を終了することが好ましい。
【０００９】
前記接続相決定方法は、前記第２ステップにおいて、さらに、前記幹線の相回転方向を維持するように、前記幹線と前記分岐線との接続相を決定することが好ましい。
【００１０】
前記接続相決定方法において、前記幹線は、第１相の交流電流が流れる第１幹線、第２相の交流電流が流れる第２幹線及び第３相の交流電流が流れる第３幹線を有し、前記分岐線は、第１分岐線、第２分岐線及び第３分岐線を有し、前記第２ステップは、前記第１幹線と前記第１分岐線とを接続し、前記第２幹線と前記第２分岐線とを接続し、前記第３幹線と前記第３分岐線とを接続した接続相における、前記幹線逆相電流値と前記分岐線逆相電流値との和である第１接続相逆相電流和と、前記第１幹線と前記第２分岐線とを接続し、前記第２幹線と前記第３分岐線とを接続し、前記第３幹線と前記第１分岐線とを接続した接続相における、前記幹線逆相電流値と前記分岐線逆相電流値との和である第２接続相逆相電流和と、前記第１幹線と前記第３分岐線とを接続し、前記第２幹線と前記第１分岐線とを接続し、前記第３幹線と前記第２分岐線とを接続した接続相における、前記幹線逆相電流値と前記分岐線逆相電流値との和である第３接続相逆相電流和と、を算出し、前記第１接続相逆相電流和、前記第２接続相逆相電流和及び前記第３接続相逆相電流和のうち、絶対値が最小である場合における接続相を、前記幹線と前記分岐線との接続相として決定することが好ましい。
【００１１】
前記接続相決定方法において、前記幹線及び前記分岐線は、あらかじめ容量が定められている柱上変圧器が接続されており、前記第１ステップにおいて、前記幹線逆相電流値と前記分岐線逆相電流値とを、前記柱上変圧器の容量に基づいて算出することが好ましい。
【００１２】
前記接続相決定方法において、前記第１ステップにおいて、前記幹線逆相電流値を、前記分岐線と接続される箇所よりも下流における前記幹線の電流値を測定することにより取得し、前記分岐線逆相電流値を、前記幹線と接続される箇所における前記分岐線の電流値を測定することにより取得することが好ましい。
【００１３】
上述した課題を解決し、目的を達成するために、本発明の接続相決定装置は、上流から交流電流が供給される三相配電線である幹線と、前記幹線から分岐される三相配電線である分岐線との接続相を決定する接続相決定装置であって、前記分岐線と接続される箇所よりも下流における前記幹線の逆相電流値である幹線逆相電流値の情報を取得し、前記幹線と接続される箇所における前記分岐線の逆相電流値である分岐線逆相電流値の情報を、幹線と分岐線との接続相毎に複数取得する逆相電流値取得部と、逆相電流値取得部が取得した前記幹線逆相電流値と前記分岐線逆相電流値との和の絶対値が最小となるように、前記幹線と前記分岐線との接続相を決定する接続相決定部と、を有する。
【００１４】
前記接続相決定装置において、前記分岐線は、前記幹線の前記交流電流が流れる方向に沿って、複数設けられており、前記接続相決定部が決定した前記分岐線の位置情報を有する分岐線情報部を更に有し、前記逆相電流値取得部は、前記分岐線情報部からの前記分岐線の位置情報に基づき、前記分岐線よりも前記幹線の上流側の前記分岐線に対応する前記幹線逆相電流値及び前記分岐線逆相電流値との情報を取得し、前記接続相決定部は、前記上流側の分岐線に対応する前記幹線逆相電流値と前記分岐線逆相電流値との和の絶対値が最小となるように、前記幹線と前記上流側の分岐線との接続相を決定することが好ましい。
【発明の効果】
【００１５】
本発明によれば、電圧不平衡の抑制を適切に行うことができる。
【図面の簡単な説明】
【００１６】
【図１】図１は、本実施形態における配電系統を示す模式図である。
【図２】図２は、三相交流電流のベクトル値の例を示した図である。
【図３】図３は、三相交流電流における逆相電流のベクトル値の例を示した図である。
【図４】図４は、接続相決定装置の構成を示すブロック図である。
【図５】図５は、接続相を決定するための配電系統の説明図である。
【図６Ａ】図６Ａは、第１接続相における分岐線と幹線との接続状態を示す模式図である。
【図６Ｂ】図６Ｂは、第１接続相における分岐線電流の一例を説明したベクトル図である。
【図６Ｃ】図６Ｃは、第１接続相における逆相電流の一例を説明したベクトル図である。
【図７Ａ】図７Ａは、第２接続相における分岐線と幹線との接続状態を示す模式図である。
【図７Ｂ】図７Ｂは、第２接続相における分岐線電流の一例を説明したベクトル図である。
【図７Ｃ】図７Ｃは、第２接続相における逆相電流の一例を説明したベクトル図である。
【図８Ａ】図８Ａは、第３接続相における分岐線と幹線との接続状態を示す模式図である。
【図８Ｂ】図８Ｂは、第３接続相における分岐線電流の一例を説明したベクトル図である。
【図８Ｃ】図８Ｃは、第３接続相における逆相電流の一例を説明したベクトル図である。
【図９】図９は、逆相電流和の一例を示すグラフである。
【図１０】図１０は、幹線と分岐線との接続相決定処理を説明するフローチャートである。
【発明を実施するための形態】
【００１７】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１８】
（配電系統の構成について）
図１は、本実施形態における配電系統を示す模式図である。図１に示すように、配電系統１０は、送電線２、変圧器４、幹線Ｌ、複数の分岐線ＳＬ及び複数の柱上変圧器Ｔｒを有する。配電系統１０は、発電所より送電される電力を変圧器４により降圧し、幹線Ｌ及び分岐線ＳＬにより配電し、柱上変圧器Ｔｒを介して家庭等の負荷に配電する。
【００１９】
送電線２は、発電所から三相交流電力が送電される。送電線２は、例えば６６ｋＶ（キロボルト）の電圧振幅を有する送電用の三相交流電力が送電される。変圧器４は、送電線２と電気的に接続される変圧器である。変圧器４は、送電線２に送電された６６ｋＶの送電用の三相交流電力を、６．６ｋＶの電圧振幅を有する配電用の三相交流電力に降圧する。以下、６．６ｋＶの配電用の三相交流電力により流れる三相交流電流を、適宜配電電流と記載する。配電電流は、三相交流電流のうちの第１相であるＡ相電流と、第２相であるＢ相電流と、第３相であるＣ相電流とを有する。Ａ相電流、Ｂ相電流、Ｃ相電流とは、それぞれ電流値の振幅が等しい。また、Ｂ相電流は、Ａ相電流よりも１２０°位相が遅れている。Ｃ相電流は、Ｂ相電流よりも、１２０°位相が遅れている。
【００２０】
幹線Ｌは、三相交流電流が配電される配電線である。幹線Ｌは、一方の端部である上流端１２が変圧器４と電気的に接続される。幹線Ｌは、変圧器４から、配電電流が配電される。幹線Ｌは、他方の端部である末端１４が開放されている。幹線Ｌは、Ａ相電流が配電される第１幹線である幹線ＬＡと、Ｂ相電流が配電される第２幹線である幹線ＬＢと、Ｃ相電流が配電される第３幹線である幹線ＬＣとを有する。
【００２１】
分岐線ＳＬは、幹線Ｌから分岐されて三相交流電流が配電される配電線である。分岐線ＳＬは、幹線Ｌの配電電流が流れる方向に沿って、複数設けられている。本実施形態に係る配電系統１０は、ｎ個の分岐線ＳＬ（分岐線ＳＬ１、分岐線ＳＬ２、分岐線ＳＬ３、・・・、分岐線ＳＬｎ）が設けられている。ここで、ｎは２以上の整数である。分岐線ＳＬ１は、ポイントＰ１で幹線Ｌから分岐されている。分岐線ＳＬ２は、ポイントＰ１よりも上流端１２側のポイントＰ２で幹線Ｌから分岐されている。分岐線ＳＬ３は、ポイントＰ２よりも上流端１２側のポイントＰ３で幹線Ｌから分岐されている。分岐線ＳＬｎは、ポイントＰｎ−１（図示省略）よりも上流端１２側のポイントＰｎで幹線Ｌから分岐されている。すなわち、分岐線ＳＬは、分岐線ＳＬ１、ＳＬ２、ＳＬ３、・・・、ＳＬｎの順で、幹線Ｌの末端１４から上流端１２に向かって配置されている。
【００２２】
分岐線ＳＬは、第１分岐線としての分岐線ＳＬＸ、第２分岐線としての分岐線ＳＬＹ、第３分岐線としての分岐線ＳＬＺを有する。したがって、分岐線ＳＬ１は、分岐線ＳＬＸ１、分岐線ＳＬＹ１及び分岐線ＳＬＺ１を有する。分岐線ＳＬ２は、分岐線ＳＬＸ２、分岐線ＳＬＹ２及び分岐線ＳＬＺ２を有する。分岐線ＳＬ３は、分岐線ＳＬＸ３、分岐線ＳＬＹ３及び分岐線ＳＬＺ３を有する。分岐線ＳＬｎは、分岐線ＳＬＸｎ、分岐線ＳＬＹｎ及び分岐線ＳＬＺｎを有する。本実施形態において、分岐線ＳＬＸは、幹線ＬＡと接続される。分岐線ＳＬＹは、幹線ＬＢと接続される。分岐線ＳＬＺは、幹線ＬＣと接続されている。
【００２３】
複数の柱上変圧器Ｔｒは、それぞれ、ポイントＰＴｒを介して、幹線Ｌまたは分岐線ＳＬに接続されている。それぞれの柱上変圧器Ｔｒは、幹線Ｌまたは分岐線ＳＬの任意の位置に、配置されている。柱上変圧器Ｔｒは、例えば配電電流に対応する配電用の三相交流電力の電圧振幅（６．６ｋＶ）を、１００Ｖ又は２００Ｖの電圧振幅を有する負荷用電力に降圧する。柱上変圧器Ｔｒは、負荷Ｒに接続されている。負荷Ｒは、例えば家庭の電気機器である。柱上変圧器Ｔｒは、負荷Ｒに降圧した電力により発生する電流を配電する。なお、柱上変圧器Ｔｒは、定格容量（ｋＶＡ）が定められている。柱上変圧器Ｔｒは、定格容量で定めた電力量の範囲内で電力（電流）を配電する。なお、柱上変圧器Ｔｒの配置は、幹線Ｌ及び分岐線ＳＬに接続されるものであれば、その配置は任意である。
【００２４】
また、配電系統１０は、営業所２０が設けられている。営業所２０は、配電系統１０の制御を行う作業員が待機している場所である。営業所２０は、接続相決定装置３０が設けられている。接続相決定装置３０は、幹線Ｌと分岐線ＳＬとの接続相を決定する。作業員は、接続相決定装置３０が決定した幹線Ｌと分岐線ＳＬとの接続相に基づいて、幹線Ｌと分岐線ＳＬとの接続相を変更する。接続相決定装置３０は、営業所２０に設けられていなくてもよい。接続相決定装置３０は、例えば発電所や変電所等に設けられていてもよい。接続相決定装置３０については、後述する。
【００２５】
（電圧不平衡について）
次に、電圧不平衡について説明する。電圧不平衡とは、各線間電圧の振幅が等しく、且つ、線間電圧の位相が１２０°異なる三相交流電圧において、各線間電圧の振幅が異なったり、線間電圧の位相がずれたりすることである。各線間電圧の振幅が異なるとは、例えばＡ相電流における電圧振幅と、Ｂ相電流における電圧振幅と、Ｃ相電流における電圧振幅とが互いに異なることをいう。また、線間電圧の位相がずれるとは、例えば、Ａ相電流とＢ相電流との位相差、Ｂ相電流とＣ相電流との位相差、Ｃ相電流とＡ相電流との位相差の少なくとも１つの位相差が１２０°とならないことをいう。
【００２６】
配電系統１０は、幹線Ｌで電圧不平衡が発生すると柱上変圧器Ｔｒに供給される電圧が目標の電圧に対してずれてしまう。このように、柱上変圧器Ｔｒに供給される電圧のずれが大きくなると、柱上変圧器Ｔｒに接続される負荷Ｒの誤動作が発生する恐れがある。従って、配電系統１０は、幹線Ｌにおける電圧不平衡の値を小さくすることが望ましい。
【００２７】
電圧不平衡率は、正相電圧に対する逆相電圧の割合で示される。ここで、電圧不平衡率をεとし、正相電圧をＶＰとし、逆相電圧をＶＮとしたとき、電圧不平衡率εは、次の式（１）で表される。
【００２８】
ε（％）＝｜ＶＮ｜／｜ＶＰ｜・１００  ・・・（１）
【００２９】
正相電圧ＶＰ、逆相電圧ＶＮは、例えば対称座標法により算出することができる。
【００３０】
（逆相電流について）
次に、逆相電流について説明する。図２は、三相交流電流のベクトル値の例を示した図である。図２は、電圧不平衡が起きている場合におけるＡ相電流、Ｂ相電流、Ｃ相電流のベクトル値の例を示している。図２の横軸は実軸であり、縦軸は虚軸である。ここで、Ａ相電流をＩＡとし、Ｂ相電流をＩＢとし、Ｃ相電流をＩＣとする。図２の例においては、Ａ相電流ＩＡ、Ｂ相電流ＩＢ及びＣ相電流ＩＣは、互いに絶対値（スカラー値）が異なっている。また、Ｂ相電流ＩＢは、Ａ相電流ＩＡから位相が遅れており、Ｃ相電流ＩＣは、Ｂ相電流ＩＢから位相が遅れており、角度は等間隔になっていない。
【００３１】
図３は、三相交流電流における逆相電流のベクトル値の例を示した図である。図３の横軸は実軸であり、縦軸は虚軸である。逆相電流ＩＮは、配電電流に電流不平衡が発生している場合に発生する。逆相電流値ＩＮは、配電電流の電流値に基づいて例えば対称座標法により算出される。ここで、Ａ相電流ＩＡ、Ｂ相電流ＩＢ、Ｃ相電流ＩＣが与えられた場合、Ａ相電流ＩＡ，Ｂ相電流ＩＢ，Ｃ相電流ＩＣの各成分うち、電流の絶対値が等しく、位相の等間隔な逆回転方向の三相電流の成分が逆相電流となる。図２に示された電流による逆相電流は、図３のようにＡ相逆相電流ＩＮＡ、Ｂ相逆相電流ＩＮＢ、Ｃ相逆相電流ＩＮＣの３つの電流成分で構成される。ここで、逆相電流は、３相の逆相電流の電流成分のうち１つの電流成分が与えられれば、他の２つの電流成分は一意に決まる。従って、以下、逆相電流のうち、Ａ相逆相電流ＩＮＡを代表電流成分とし、以降では逆相電流を適宜ＩＮと表記することにする。なお、この逆相電流ＩＮの値は一例であり、配電系統１０に流れる電流の状態によって異なるものとなる。
【００３２】
逆相電圧ＶＮを、ポイントＰＮとポイントＰＮ−１との間の電位差（電圧）の逆相電圧とすると、ポイントＰＮとポイントＰＮ−１との間に流れる電流の逆相電流ＩＮ及びポイントＰＮとポイントＰＮ−１との間の線路インピーダンスＺＮを用いて、次の式（２）で算出できる。
【００３３】
ＶＮ＝ＩＮ・ＺＮ  ・・・（２）
【００３４】
従って、電圧不平衡率の増加を小さくするには、逆相電流ＩＮの値を小さくすればよい。そして、逆相電流ＩＮの値は、Ａ相電流ＩＡ、Ｂ相電流ＩＢ及びＣ相電流ＩＣの値により決定されるため、幹線ＬＡ、ＬＢ、ＬＣに接続される負荷Ｒによって異なる。さらに言えば、幹線ＬＡ、ＬＢ、ＬＣは、分岐線ＳＬＸ、ＳＬＹ、ＳＬＺと接続されている。分岐線ＳＬＸ、ＳＬＹ、ＳＬＺは、複数の負荷Ｒに接続されているため、幹線ＬＡ、ＬＢ、ＬＣと、分岐線ＳＬＸ、ＳＬＹ、ＳＬＺとの接続（接続相）を調整することにより、逆相電流ＩＮの値を小さくすることが可能となる。
【００３５】
（接続相決定装置について）
次に、接続相決定装置３０について説明する。図４は、接続相決定装置の構成を示すブロック図である。図５は、接続相を決定するための配電系統の説明図である。接続相決定装置３０は、逆相電流ＩＮの値を小さくするような幹線Ｌと分岐線ＳＬとの接続相を決定する。図４に示すように、接続相決定装置３０は、電流値取得部３２と、分岐線情報部３１と、幹線逆相電流値算出部３４と、分岐線逆相電流値算出部３５と、逆相電流和算出部３６と、逆相電流和比較部３８と、接続相決定部４０と、を有する。
【００３６】
図５に示す幹線Ｌと分岐線ＳＬｉとの接続相決定を例にして、接続相決定装置３０による幹線Ｌと分岐線ＳＬとの接続相決定方法を説明する。接続相決定装置３０は、幹線Ｌと分岐線ＳＬｉが接続される箇所の上流における幹線Ｌの電圧不平衡を抑制するように、幹線Ｌと分岐線ＳＬｉとの接続相を決定する。幹線Ｌと分岐線ＳＬｉとの接続相の決定とは、ポイントＰｉにおいて、幹線ＬＡ、ＬＢ、ＬＣのそれぞれに、分岐線ＳＬＸｉ、ＳＬＹｉ、ＳＬＺｉのうちいずれを接続するかを決定することをいう。なお、本実施形態に係る配電系統１０は、初期状態として、幹線ＬＡと分岐線ＳＬＸｉとが接続され、幹線ＬＢと分岐線ＳＬＹｉとが接続され、幹線ＬＣと分岐線ＳＬＺｉとが接続されている。
【００３７】
分岐線情報部３１は、作業者から、接続相を決定すべき分岐線ＳＬの情報が入力される。すなわち、分岐線情報部３１は、複数の分岐線ＳＬのうちから、分岐線ＳＬｉについて接続相を決定すべき分岐線ＳＬとする旨の情報が入力される。言い換えれば、分岐線情報部３１は、接続相を決定すべき分岐線ＳＬｉの、複数の分岐線ＳＬにおける位置情報が入力される。分岐線情報部３１は、分岐線ＳＬｉに対応する電流値を取得する旨の情報を、電流値取得部３２に出力する。
【００３８】
電流値取得部３２は、図５に示すポイントＰｉの下流において幹線ＬＡに流れるＡ相電流ＩＡｉと、ポイントＰｉの下流において幹線ＬＢに流れるＢ相電流ＩＢｉと、ポイントＰｉの下流において幹線ＬＣに流れるＣ相電流ＩＣｉとの電流値を取得する。ここで、ポイントＰｉの下流において幹線ＬＡに流れるＡ相電流ＩＡｉ、Ｂ相電流ＩＢｉ、Ｃ相電流ＩＣｉは、各幹線Ｌに分岐線ＳＬＸｉ、ＳＬＹｉ、ＳＬＺｉが接続された箇所の末端１４側における電流値である。言い換えれば、Ａ相電流ＩＡｉ、Ｂ相電流ＩＢｉ、Ｃ相電流ＩＣｉは、ポイントＰｉの末端１４側に隣接する柱上変圧器Ｔｒと、ポイントＰｉとの間における電流値である。以下、Ａ相電流ＩＡｉ、Ｂ相電流ＩＢｉ、Ｃ相電流ＩＣｉを、適宜ポイントＰｉにおける幹線下流電流値と記載する。
【００３９】
また、電流値取得部３２は、ポイントＰｉにおいて分岐線ＳＬＸｉに流れる電流ＩＸｉ（ここではＡ相電流）と、ポイントＰｉにおいて分岐線ＳＬＹｉに流れる電流ＩＹｉ（ここではＢ相電流）と、ポイントＰｉにおいて分岐線ＳＬＺｉに流れる電流ＩＺｉ（ここではＣ相電流）との電流値を取得する。ここで、電流ＩＸｉ、ＩＹｉ、ＩＺｉは、分岐線ＳＬＸｉ、ＳＬＹｉ、ＳＬＺｉの幹線Ｌ側の端部における電流値である。以下、電流ＩＸｉ、ＩＹｉ、ＩＺｉを、適宜ポイントＰｉにおける分岐線電流と記載する。
【００４０】
電流値取得部３２は、Ａ相電流ＩＡｉ、Ｂ相電流ＩＢｉ、Ｃ相電流ＩＣｉ及び分岐線電流ＩＸｉ、ＩＹｉ、ＩＺｉの電流値を算出する。幹線Ｌ及び分岐線ＳＬの各部における電流値は、幹線Ｌの上流端における配電電流に対応する電圧と、幹線Ｌ及び複数の分岐線ＳＬと柱上変圧器Ｔｒとの接続関係と柱上変圧器Ｔｒの定格容量とから算出することができる。電流値取得部３２は、この関係を用いて、柱上変圧器Ｔｒの定格容量に基づき、Ａ相電流ＩＡｉ、Ｂ相電流ＩＢｉ、Ｃ相電流ＩＣｉ及び分岐線電流ＩＸｉ、ＩＹｉ、ＩＺｉの電流値を算出する。電流値取得部３２は、Ａ相電流ＩＡｉ、Ｂ相電流ＩＢｉ、Ｃ相電流ＩＣｉの電流値の情報を、幹線逆相電流値算出部３４に出力する。電流値取得部３２は、分岐線電流ＩＸｉ、ＩＹｉ、ＩＺｉの電流値の情報を、分岐線逆相電流値算出部３５に出力する。
【００４１】
幹線逆相電流値算出部３４は、電流値取得部３２から、幹線下流電流値（ここではＡ相電流ＩＡｉ、Ｂ相電流ＩＢｉ、Ｃ相電流ＩＣｉの電流値）の情報を取得する。幹線逆相電流値算出部３４は、Ａ相電流ＩＡｉ、Ｂ相電流ＩＢｉ、Ｃ相電流ＩＣｉの電流値から、ポイントＰｉの下流において幹線Ｌに流れる逆相電流値である幹線下流逆相電流ＩＮ０ｉの電流値を算出する。幹線逆相電流値算出部３４は、Ａ相電流ＩＡｉ、Ｂ相電流ＩＢｉ、Ｃ相電流ＩＣｉの電流値から、対称座標法により、幹線下流逆相電流ＩＮ０ｉを算出する。幹線逆相電流値算出部３４は、算出した幹線下流逆相電流ＩＮ０ｉの電流値の情報を、逆相電流和算出部３６に出力する。
【００４２】
分岐線逆相電流値算出部３５は、電流値取得部３２から、分岐線電流値（ここでは分岐線電流ＩＸｉ、ＩＹｉ、ＩＺｉの電流値）の情報を取得する。分岐線逆相電流値算出部３５は、分岐線電流ＩＸｉ、ＩＹｉ、ＩＺｉの電流値から、ポイントＰｉにおいて分岐線ＳＬｉに流れる逆相電流値である分岐線逆相電流の電流値を、接続相毎に複数算出する。
【００４３】
以下、接続相毎の分岐線逆相電流の算出方法について説明する。以下の説明では、分岐線電流ＩＸｉの電流値は、分岐線電流ＩＹｉの電流値よりも大きいものとする。また、分岐線電流ＩＹｉの電流値は、分岐線電流ＩＺｉの電流値よりも大きいものとする。また、分岐線電流ＩＸｉと分岐線電流ＩＹｉとの位相差を位相差θ１−２とし、分岐線電流ＩＹｉと分岐線電流ＩＺｉとの位相差を位相差θ２−３とし、分岐線電流ＩＺｉと分岐線電流ＩＸｉとの位相差を位相差θ３−１とする。以下の説明では、位相差θ１−２と位相差θ２−３と位相差θ３−１とは、互いに値が異なる。ただし、これらの分岐線電流の電流値及び位相差の関係は、一例である。
【００４４】
図６Ａは、第１接続相における分岐線と幹線との接続状態を示す模式図である。図６Ｂは、第１接続相における分岐線電流の一例を説明したベクトル図である。図６Ｃは、第１接続相における逆相電流の一例を説明したベクトル図である。上述のように、配電系統１０は、初期状態として、図６Ａに示すように、幹線ＬＡと分岐線ＳＬＸｉとが接続され、幹線ＬＢと分岐線ＳＬＹｉとが接続され、幹線ＬＣと分岐線ＳＬＺｉとが接続されている。この接続状態を、適宜、第１接続相と記載する。
【００４５】
図６Ａ及び図６Ｂに示すように、第１接続相では、分岐線電流ＩＸｉがＡ相電流となり、分岐線電流ＩＹｉがＢ相電流となり、分岐線電流ＩＺｉがＣ相電流となる。分岐線逆相電流値算出部３５は、第１接続相におけるポイントＰｉで分岐線ＳＬｉに流れる分岐線逆相電流を、電流ＩＸｉをＡ相電流とし、電流ＩＹｉをＢ相電流とし、電流ＩＺｉをＣ相電流として、対称座標法により算出する。
【００４６】
第１接続相での分岐線逆相電流は、図６Ｃに示すように、分岐線Ａ相逆相電流ＩＮＡ１ｉと、分岐線Ｂ相逆相電流ＩＮＢ１ｉと、分岐線Ｃ相逆相電流ＩＮＣ１ｉとの、逆回転の電流である。ここでは、分岐線Ａ相逆相電流ＩＮＡ１ｉを、第１接続相での分岐線逆相電流ＩＮ１ｉと記載する。
【００４７】
図７Ａは、第２接続相における分岐線と幹線との接続状態を示す模式図である。図７Ｂは、第２接続相における分岐線電流の一例を説明したベクトル図である。図７Ｃは、第２接続相における逆相電流の一例を説明したベクトル図である。図７Ａが示すように、幹線ＬＡと分岐線ＳＬＹｉとが接続され、幹線ＬＢと分岐線ＳＬＺｉとが接続され、幹線ＬＣと分岐線ＳＬＸｉとが接続されている接続状態を、第２接続相とする。第２接続相は、第１接続相から、幹線Ｌの相回転方向を維持する接続相である。
【００４８】
図７Ａ及び図７Ｂに示すように、第２接続相では、分岐線電流ＩＹｉがＡ相電流となり、分岐線電流ＩＺｉがＢ相電流となり、分岐線電流ＩＸｉがＣ相電流となる。分岐線逆相電流値算出部３５は、電流ＩＹｉをＡ相電流とし、電流ＩＺｉをＢ相電流とし、電流ＩＸｉをＣ相電流として、第２接続相におけるポイントＰｉで分岐線ＳＬｉに流れる分岐線逆相電流を、対称座標法により算出する。
【００４９】
第２接続相での分岐線逆相電流は、図７Ｃに示すように、分岐線Ａ相逆相電流ＩＮＡ２ｉと、分岐線Ｂ相逆相電流ＩＮＢ２ｉと、分岐線Ｃ相逆相電流ＩＮＣ２ｉとの、逆回転の電流である。ここでは、分岐線Ａ相逆相電流ＩＮＡ２ｉを、第２接続相での分岐線逆相電流ＩＮ２ｉと記載する。
【００５０】
図８Ａは、第３接続相における分岐線と幹線との接続状態を示す模式図である。図８Ｂは、第３接続相における分岐線電流の一例を説明したベクトル図である。図８Ｃは、第３接続相における逆相電流の一例を説明したベクトル図である。図８Ａが示すように、幹線ＬＡと分岐線ＳＬＺｉとが接続され、幹線ＬＢと分岐線ＳＬＸｉとが接続され、幹線ＬＣと分岐線ＳＬＹｉとが接続されている接続状態を、第３接続相とする。第３接続相は、第１接続相から、幹線Ｌの相回転方向を維持する接続相である。
【００５１】
図８Ａ及び図８Ｂに示すように、第３接続相では、分岐線電流ＩＺｉがＡ相電流となり、分岐線電流ＩＸｉがＢ相電流となり、分岐線電流ＩＹｉがＣ相電流となる。分岐線逆相電流値算出部３５は、電流ＩＺｉをＡ相電流とし、電流ＩＸｉをＢ相電流とし、電流ＩＹｉをＣ相電流として、第３接続相におけるポイントＰｉで分岐線ＳＬｉに流れる分岐線逆相電流を、対称座標法により算出する。
【００５２】
第３接続相での分岐線逆相電流は、図８Ｃに示すように、分岐線Ａ相逆相電流ＩＮＡ３ｉと、分岐線Ｂ相逆相電流ＩＮＢ３ｉと、分岐線Ｃ相逆相電流ＩＮＣ３ｉとの、逆回転の電流である。ここでは、分岐線Ａ相逆相電流ＩＮＡ３ｉを、第３接続相での分岐線逆相電流ＩＮ３ｉと記載する。
【００５３】
以上のように、分岐線逆相電流値算出部３５は、電流ＩＸｉ、ＩＹｉ、ＩＺｉの電流値と、接続相の関係（電流ＩＸｉ、ＩＹｉ、ＩＺｉが、Ａ相、Ｂ相、Ｃ相のいずれの相の電流であるかを示す関係）とから、第１接続相での分岐線逆相電流ＩＮ１ｉを算出する。同様に、分岐線逆相電流値算出部３５は、電流ＩＸｉ、ＩＹｉ、ＩＺｉの電流値と、接続相の関係とから、第２接続相での分岐線逆相電流ＩＮ２ｉを算出する。同様に、分岐線逆相電流値算出部３５は、電流ＩＸｉ、ＩＹｉ、ＩＺｉの電流値と、接続相の関係とから、第３接続相での分岐線逆相電流ＩＮ３ｉを算出する。分岐線逆相電流値算出部３５は、分岐線逆相電流ＩＮ１ｉ、ＩＮ２ｉ、ＩＮ３ｉの電流値の情報を、逆相電流和算出部３６に出力する。
【００５４】
逆相電流和算出部３６は、幹線逆相電流値算出部３４から、ポイントＰｉの下流において幹線Ｌに流れる逆相電流値である幹線下流逆相電流ＩＮ０ｉの電流値の情報が入力される。また、逆相電流和算出部３６は、第１接続相における分岐線逆相電流ＩＮ１ｉの電流値、第２接続相における分岐線逆相電流ＩＮ２ｉの電流値、及び第３接続相における分岐線逆相電流ＩＮ３ｉの電流値の情報が入力される。
【００５５】
逆相電流和算出部３６は、幹線下流逆相電流ＩＮ０ｉの電流値と第１接続相の分岐線逆相電流ＩＮ１ｉの電流値とのベクトル和の絶対値である第１接続相逆相電流Ｉ’Ｎ１ｉ（第１接続相の逆相電流和）を算出する。逆相電流和算出部３６は、幹線下流逆相電流ＩＮ０ｉの電流値と第２接続相の分岐線逆相電流ＩＮ２ｉの電流値とのベクトル和の絶対値である第２接続相逆相電流Ｉ’Ｎ２ｉ（第２接続相の逆相電流和）を算出する。逆相電流和算出部３６は、幹線下流逆相電流ＩＮ０ｉの電流値と第３接続相の分岐線逆相電流ＩＮ３ｉの電流値とのベクトル和の絶対値である第３接続相逆相電流Ｉ’Ｎ３ｉ（第３接続相の逆相電流和）を算出する。逆相電流和算出部３６は、算出した第１接続相逆相電流Ｉ’Ｎ１ｉと第２接続相逆相電流Ｉ’Ｎ２ｉと第３接続相逆相電流Ｉ’Ｎ３ｉとの電流値の情報を、逆相電流和比較部３８に出力する。
【００５６】
逆相電流和比較部３８は、第１接続相逆相電流Ｉ’Ｎ１ｉと第２接続相逆相電流Ｉ’Ｎ２ｉと第３接続相逆相電流Ｉ’Ｎ３ｉとの電流値を比較し、最小のものの接続相の情報を、接続相決定部４０に出力する。
【００５７】
図９は、逆相電流和の一例を示すグラフである。図９に示す例では、第２接続相逆相電流Ｉ’Ｎ２ｉの絶対値（スカラー値）は、第１接続相逆相電流Ｉ’Ｎ１ｉ及び第３接続相逆相電流Ｉ’Ｎ３ｉよりも小さい。この場合、逆相電流和比較部３８は、第２接続相の情報を、接続相決定部４０に出力する。
【００５８】
接続相決定部４０は、逆相電流和比較部３８から入力された接続相の情報に基づき、入力された接続相を、電圧不平衡を抑制するための接続相として決定する。接続相決定部４０は、表示部を有し、電圧不平衡を抑制するための接続相の情報を表示する。作業者は、この接続相の情報に基づき、必要に応じて、幹線Ｌと分岐線ＳＬｉとの接続相を変更する。
【００５９】
また、接続相決定部４０は、幹線Ｌと分岐線ＳＬｉとの接続相を決定したら、分岐線情報部３１に、分岐線ＳＬｉについて、決定した接続相の情報を出力する。また、分岐線情報部３１は、分岐線ＳＬｉについての接続相の情報が出力されたら、幹線Ｌの分岐線ＳＬｉが接続されているポイントＰｉの上流端１２側に分岐線ＳＬが接続されているかを判断する。ポイントＰｉの上流端１２側において分岐線ＳＬが接続されている場合、分岐線情報部３１は、分岐線ＳＬｉが第２接続相で接続された場合における、分岐線ＳＬｉ−１に対応する電流値を取得する旨の情報を、電流値取得部３２に出力する。なお、分岐線ＳＬｉ−１は、分岐線ＳＬｉの上流端１２側で、分岐線ＳＬｉと隣接する分岐線である。
【００６０】
電流値取得部３２は、幹線Ｌの上流端における配電電流に対応する電圧と、分岐線ＳＬｉが第２接続相で接続された場合における幹線Ｌ及び複数の分岐線ＳＬと柱上変圧器Ｔｒとの接続関係と、柱上変圧器Ｔｒの定格容量とから、分岐線ＳＬｉ−１に対応する電流値を取得する。その後、接続相決定装置３０は、分岐線ＳＬｉにおいて接続相を決定した処理と同様の処理を行い、分岐線ＳＬｉ−１と幹線Ｌとの接続相を決定する。接続相決定装置３０は、この処理を、幹線Ｌの上流端１２側に他の分岐線ＳＬが存在しない分岐線ＳＬｎまで繰り返し、各分岐線ＳＬと幹線Ｌとの接続相を、上流端１２側に向かって順次決定する。
【００６１】
次に、接続相決定装置３０による幹線Ｌと分岐線ＳＬｉとの接続相決定処理について、フローチャートに基づき説明する。図１０は、幹線と分岐線との接続相決定処理を説明するフローチャートである。幹線Ｌと分岐線ＳＬｉとの接続相を決定する場合、接続相決定装置３０は、最初に、分岐線情報部３１に分岐線ＳＬｉを接続相決定すべき分岐線ＳＬとする旨の情報が入力される。分岐線情報部３１は、電流値取得部３２に、分岐線ＳＬｉに対応する電流値を取得する旨の情報を出力する。
【００６２】
図１０に示すように、接続相決定装置３０は、電流値取得部３２により、ポイントＰｉにおける幹線下流電流値と、ポイントＰｉにおける分岐線電流値とを取得する（ステップＳ１２）。言い換えれば、電流値取得部３２は、Ａ相電流ＩＡｉ、Ｂ相電流ＩＢｉ、Ｃ相電流ＩＣｉ及び分岐線電流ＩＸｉ、ＩＹｉ、ＩＺｉの電流値を取得する。電流値取得部３２は、Ａ相電流ＩＡｉ、Ｂ相電流ＩＢｉ、Ｃ相電流ＩＣｉ及び分岐線電流ＩＸｉ、ＩＹｉ、ＩＺｉの電流値を、柱上変圧器Ｔｒの定格容量に基づき算出する。
【００６３】
ポイントＰｉにおける幹線下流電流値及び分岐線電流値を取得した後、接続相決定装置３０は、幹線逆相電流値算出部３４により、ポイントＰｉの下流において幹線Ｌに流れる逆相電流値である幹線下流逆相電流ＩＮ０ｉの電流値を算出する。そして、接続相決定装置３０は、分岐線逆相電流値算出部３５により、第１接続相、第２接続相及び第３接続相における、ポイントＰｉにおいて分岐線ＳＬｉに流れる逆相電流値である分岐線逆相電流の電流値を算出する（ステップＳ１４、第１ステップ）。
【００６４】
より詳しくは、幹線逆相電流値算出部３４は、Ａ相電流ＩＡｉ、Ｂ相電流ＩＢｉ、Ｃ相電流ＩＣｉの電流値から、対称座標法により、幹線下流逆相電流ＩＮ０ｉを算出する。
【００６５】
また、分岐線逆相電流値算出部３５は、分岐線電流ＩＸｉ、ＩＹｉ、ＩＺｉの電流値と接続相の関係とから、第１接続相の分岐線逆相電流ＩＮ１ｉ、第２接続相の分岐線逆相電流ＩＮ２ｉ、及び第３接続相の分岐線逆相電流ＩＮ３ｉを算出する。
【００６６】
幹線下流逆相電流ＩＮ０ｉの電流値と、第１接続相における分岐線逆相電流ＩＮ１ｉの電流値、第２接続相における分岐線逆相電流ＩＮ２ｉの電流値、及び第３接続相における分岐線逆相電流ＩＮ３ｉの電流値とを算出した後、接続相決定装置３０は、逆相電流和算出部３６により、第１接続相の逆相電流和と、第２接続相の逆相電流和と、第３接続相の逆相電流和とを算出する（ステップＳ１６）。言い換えれば、逆相電流和算出部３６は、幹線下流逆相電流ＩＮ０ｉの電流値と第１接続相における分岐線逆相電流ＩＮ１ｉの電流値とのベクトル和の絶対値である第１接続相逆相電流Ｉ’Ｎ１ｉを算出する。また、逆相電流和算出部３６は、幹線下流逆相電流ＩＮ０ｉの電流値と第２接続相における分岐線逆相電流ＩＮ２ｉの電流値とのベクトル和の絶対値である第２接続相逆相電流Ｉ’Ｎ２ｉを算出する。また、逆相電流和算出部３６は、幹線下流逆相電流ＩＮ０ｉの電流値と第３接続相における分岐線逆相電流ＩＮ３ｉの電流値とのベクトル和の絶対値である第３接続相逆相電流Ｉ’Ｎ３ｉを算出する。
【００６７】
第１接続相の逆相電流和、第２接続相の逆相電流和及び第３接続相の逆相電流和を算出した後、接続相決定装置３０は、逆相電流和比較部３８により逆相電流和の最小値を算出し、接続相決定部４０により、逆相電流和が最小値である場合における接続相を、接続すべき接続相として決定する（ステップＳ１８、第２ステップ）。接続相決定装置３０は、例えば第２接続相逆相電流Ｉ’Ｎ２ｉが、第１接続相逆相電流Ｉ’Ｎ１ｉ及び第３接続相逆相電流Ｉ’Ｎ３ｉの電流値よりも小さい場合、第２接続相を、接続すべき接続相として決定する。
【００６８】
接続相を決定した後、接続相決定装置３０は、分岐線情報部３１により、分岐線ＳＬｉが接続されるポイントＰｉよりも上流端１２側に分岐線ＳＬが接続されているかを判断する（ステップＳ２０）。
【００６９】
分岐線ＳＬｉが接続されるポイントＰｉよりも上流端１２側に分岐線ＳＬが接続されている場合（ステップＳ２０でＹｅｓ）、接続相決定装置３０は、電流値取得部３２により、決定した接続相で分岐線ＳＬｉと幹線Ｌとが接続された場合における、分岐線ＳＬｉの上流側に隣接する分岐線ＳＬｉ＋１に対応するポイントＰｉ＋１での幹線下流電流値と分岐線電流値とを取得する（ステップＳ２２）。その後、ステップＳ１４に戻り、接続相決定装置３０は、分岐線ＳＬｉ＋１と幹線Ｌとの接続相を決定する。
【００７０】
上流端１２側に分岐線ＳＬが接続されていないと判断した場合（ステップＳ２０でＮｏ）、接続相決定装置３０は、接続相決定処理を終了する。すなわち、接続相決定装置３０は、各分岐線ＳＬと幹線Ｌとの接続相を、上流端１２側に向かって順次決定し、最も上流端１２側の分岐線ＳＬの接続相を決定したら、接続相決定処理を終了する。
【００７１】
以上のように、接続相決定装置３０は、分岐線ＳＬｉと接続されるポイントＰｉよりも下流における幹線Ｌの幹線逆相電流値の情報を取得し、幹線Ｌと接続されるポイントＰｉにおける分岐線ＳＬｉの分岐線逆相電流値の情報を、幹線Ｌと分岐線ＳＬｉとの接続相毎に複数取得する。そして、接続相決定装置３０は、幹線逆相電流値と分岐線逆相電流値との和の絶対値が最小となるように、複数の接続相から幹線Ｌと分岐線ＳＬｉとの接続相を決定する。
【００７２】
ここで、ポイントＰｉよりも下流における幹線Ｌの幹線逆相電流値とポイントＰｉにおける分岐線ＳＬｉの分岐線逆相電流値との和は、ポイントＰｉの上流における幹線Ｌの逆相電流値となる。従って、接続相決定装置３０は、幹線逆相電流値と分岐線逆相電流値との和の絶対値が最小となるように、幹線Ｌと分岐線ＳＬｉとの接続相を決定することにより、ポイントＰｉの上流における幹線Ｌの逆相電流値を小さくするような接続相を選択することができる。ポイントＰｉの上流における幹線Ｌの逆相電流値が小さくなることにより、ポイントＰｉの上流における幹線Ｌの電圧不平衡は小さくなる。従って、接続相決定装置３０は、幹線Ｌの電圧不平衡を小さくするような幹線Ｌと分岐線ＳＬとの接続相を決定することができる。
【００７３】
さらに、接続相決定装置３０は、幹線Ｌと分岐線ＳＬとの接続相の決定処理を幹線Ｌの上流端１２側に向かって行い、最も上流端１２側の分岐線ＳＬの接続相を決定したら、接続相の決定処理を終了する。ポイントＰｉの上流における幹線Ｌの逆相電流値は、その下流側の逆相電流値に応じて変化する。従って、接続相決定装置３０は、幹線Ｌの上流端１２側に向かって接続相の決定処理を行うことにより、複数の分岐線ＳＬに対して、幹線Ｌの電圧不平衡を小さくするような接続相を、より適切に決定することができる。
【００７４】
また、接続相決定装置３０は、幹線Ｌにおける配電電流の相回転方向を維持するように、幹線Ｌと分岐線ＳＬとの接続相を決定する。従って、接続相決定装置３０は、例えば負荷Ｒにおける逆回転を防止し、負荷Ｒの保護リレーの動作、機器の誤動作または停止を回避することができる。
【００７５】
さらに詳しくは、接続相決定装置３０は、第１接続相の逆相電流和と、第２接続相の逆相電流和と、第３接続相の逆相電流和とを算出し、第１接続相の逆相電流和と第２接続相の逆相電流和と第３接続相の逆相電流和とのうち、絶対値が最小である場合の接続相を、幹線Ｌと分岐線ＳＬとの接続相として決定する。従って、接続相決定装置３０は、幹線Ｌの電圧不平衡を小さくするような幹線Ｌと分岐線ＳＬとの接続相を、適切に決定することができる。
【００７６】
また、接続相決定装置３０は、幹線逆相電流値と分岐線逆相電流値とを、柱上変圧器Ｔｒの定格容量に基づいて算出する。従って、接続相決定装置３０は、幹線Ｌ及び分岐線ＳＬにおける電流値を測定することなく、幹線Ｌと分岐線ＳＬとの接続相を決定することができる。
【００７７】
ただし、接続相決定装置３０は、例えばポイントＰｉに設けられた電流計が測定したＡ相電流ＩＡｉ、Ｂ相電流ＩＢｉ、Ｃ相電流ＩＣｉ及び分岐線電流ＩＸｉ、ＩＹｉ、ＩＺｉの電流値に基づき、ポイントＰｉよりも下流における幹線逆相電流値とポイントＰｉにおける分岐線逆相電流値とを算出してもよい。この場合、接続相決定装置３０は、幹線逆相電流値と分岐線逆相電流値とを、正確に算出することができる。なお、この場合、接続相決定装置３０は、分岐線ＳＬｉの接続相を決定した後、その接続相に従って分岐線ＳＬｉと幹線Ｌとを接続してから電流値を測定し、その電流値の測定結果に基づき分岐線ＳＬｉ＋１の接続相を決定する。ただし、この場合においても、分岐線ＳＬｉの接続相を決定した後、その接続相における幹線Ｌ及び複数の分岐線ＳＬと柱上変圧器Ｔｒとの接続関係と、柱上変圧器Ｔｒの定格容量とから、分岐線ＳＬｉ＋１に対応する電流値を算出してもよい。
【００７８】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００７９】
１０  配電系統
１２  上流端
１４  末端
３０  接続相決定装置
３１  分岐線情報部
３２  電流値取得部
３４  幹線逆相電流値算出部
３５  分岐線逆相電流値算出部
３６  逆相電流和算出部
３８  逆相電流和比較部
４０  接続相決定部
Ｌ、ＬＡ、ＬＢ、ＬＣ  幹線
ＳＬ、ＳＬＸ、ＳＬＹ、ＳＬＺ  分岐線
Ｔｒ  柱上変圧器
Ｒ  負荷
【図１】
0006492857.tif 000002
【図２】
0006492857.tif 000003
【図３】
0006492857.tif 000004
【図４】
0006492857.tif 000005
【図５】
0006492857.tif 000006
【図６Ａ】
0006492857.tif 000007
【図６Ｂ】
0006492857.tif 000008
【図６Ｃ】
0006492857.tif 000009
【図７Ａ】
0006492857.tif 000010
【図７Ｂ】
0006492857.tif 000011
【図７Ｃ】
0006492857.tif 000012
【図８Ａ】
0006492857.tif 000013
【図８Ｂ】
0006492857.tif 000014
【図８Ｃ】
0006492857.tif 000015
【図９】
0006492857.tif 000016
【図１０】
0006492857.tif 000017